(57)【要約】【課題】蓋を本体から取り外す際の作業を簡素化することが可能な携帯端末を提供する。【解決手段】携帯端末は、矩形状の電池を収納する電池収納部を有し、長辺方向に延びる直方体状の本体と、本体とは別体の被挟持部を挟持することで当該被挟持部に本体を取り付ける挟持部材と、本体に対して着脱され、電池収納部を覆う第１部と、第１部の端部から延び、挟持部材が設けられる第２部と、を有する蓋と、を備える。【選択図】図３
2019036827.tif 000002
【特許請求の範囲】
【請求項１】
矩形状の電池を収納する電池収納部を有し、長辺方向に延びる直方体状の本体と、
前記本体とは別体の被挟持部を挟持することで当該被挟持部に前記本体を取り付ける挟持部材と、
前記本体に対して着脱され、前記電池収納部を覆う第１部と、前記第１部の端部から延び、前記挟持部材が設けられる第２部と、を有する蓋と、
を備える携帯端末。
【請求項２】
前記電池収納部は、前記長辺方向において、前記本体における一方側よりも他方側に近い位置に設けられ、
前記第２部は、前記第１部における前記一方側の端部から延びている、
請求項１に記載の携帯端末。
【請求項３】
前記本体は、前記電池収納部よりも前記一方側で前記第２部と係合する係合部を有する、
請求項２に記載の携帯端末。
【請求項４】
前記蓋は、前記本体に対して前記長辺方向にスライド移動する、
請求項３に記載の携帯端末。
【請求項５】
前記係合部には、前記第２部が前記長辺方向に移動可能なスペースが形成される、
請求項４に記載の携帯端末。
【請求項６】
前記挟持部材は、前記第１部と重なるように配置されている、
請求項２に記載の携帯端末。
【発明の詳細な説明】
【技術分野】
【０００１】
本発明は、携帯端末に関する。
【背景技術】
【０００２】
従来、携帯端末として、例えば特許文献１に、携帯端末の背面にクリップを取り付けることにより、携帯端末を携行する際の衣服のポケット等への取付を容易にした構成が開示されている。
【先行技術文献】
【特許文献】
【０００３】
【特許文献１】実用新案登録第３０８６５０７号公報
【発明の概要】
【発明が解決しようとする課題】
【０００４】
ところで、近年、薄い直方体状の本体を有する小型の携帯端末が普及しているが、ハンズフリー機能の活用等、ユーザーによる利用シーンの多様化に伴い、当該携帯端末についても、クリップ等の挟持部材が設けられる場合がある。
【０００５】
このような携帯端末に設けられる挟持部材は、例えば、本体の裏側における、電池収納部からずれた位置に取り付けられることが考えられる。
【０００６】
しかしながら、当該携帯端末の電池を交換するために電池収納部を覆う蓋を本体から取り外そうとすると、挟持部材に起因して蓋を本体から取り外しにくくなるという問題が生じる。この理由としては、本体のスペースの都合上、挟持部材と蓋とが重なる可能性が高くなり、挟持部材が蓋の取り外しの邪魔となるからである。
【０００７】
挟持部材と蓋とが重なってしまうと、電池を交換する際に、挟持部材を本体から外した上で、蓋を本体から取り外す必要が生じるので、ユーザーにとって煩わしい作業が発生するおそれがあった。
【０００８】
本発明の目的は、蓋を本体から取り外す際の作業を簡素化することが可能な携帯端末を提供することである。
【課題を解決するための手段】
【０００９】
本発明に係る携帯端末は、
矩形状の電池を収納する電池収納部を有し、長辺方向に延びる直方体状の本体と、
前記本体とは別体の被挟持部を挟持することで当該被挟持部に前記本体を取り付ける挟持部材と、
前記本体に対して着脱され、前記電池収納部を覆う第１部と、前記第１部の端部から延び、前記挟持部材が設けられる第２部と、を有する蓋と、
を備える。
【発明の効果】
【００１０】
本発明によれば、蓋を本体から取り外す際の作業を簡素化することができる。
【図面の簡単な説明】
【００１１】
【図１】本実施の形態に係る携帯端末を背面側から見た斜視図である。
【図２】携帯端末の前面図である。
【図３】本実施の形態に係る携帯端末の分解図である。
【図４】蓋を裏から見た図である。
【図５】蓋と挟持部材とを分解した図である。
【図６】挟持部材が固定された蓋の側面図である。
【図７】挟持部材の分解図である。
【図８】挟持部材の側面図である。
【図９】挟持部材を裏から見た図である。
【図１０】従来例における携帯端末に挟持部材を設けた構成の分解斜視図である。
【発明を実施するための形態】
【００１２】
以下、本実施の形態を図面に基づいて詳細に説明する。図１は、本実施の形態に係る携帯端末１００を背面側から見た斜視図である。
【００１３】
図１に示すように、携帯端末１００は、例えば、スマートフォン等の携帯電話機であり、本体１１０と、蓋１２０と、挟持部材１３０とを有する。
【００１４】
本体１１０は、携帯電話機として機能する部分であり、長辺方向に延びる直方体状に構成されている。長辺方向は、本体１１０における長辺部分に沿う方向であり、図１や図３における左斜め上方向又は右斜め下方向である。
【００１５】
図２に示すように、本体１１０の前面には、操作部１４０が設けられている。操作部１４０には、携帯端末１００の各種操作を行うための操作ボタン１４１が設けられている。なお、操作部１４０としては、タッチパネル形式のものであっても良い。
【００１６】
図３に示すように、本体１１０の背面には、矩形状の電池Ｄを収納する電池収納部１１１が設けられている。電池収納部１１１は、電池Ｄを嵌め込まれるような矩形状に形成され、本体１１０に蓋１２０が装着されることで、蓋１２０に覆われる。
【００１７】
本体１１０の、長辺方向における下側（他方側）の第１端部１１０Ａには、電池Ｄを充電するための充電口が設けられる。そのため、電池収納部１１１は、長辺方向において、本体１１０における上側（一方側）の第２端部１１０Ｂよりも第１端部１１０Ａに近い位置に設けられる。
【００１８】
また、本体１１０電池収納部１１１の周囲の部分であって、蓋１２０が装着される被装着部１１１Ａは、本体１１０における被装着部１１１Ａ以外の部分、つまり、蓋１２０の周囲に位置する部分よりも、蓋１２０の厚みの分だけ下げられている。
【００１９】
本体１１０における、電池収納部１１１よりも第２端部１１０Ｂ側の位置には、後述する蓋１２０の第２部１２２が係合する係合部１１２が設けられている。係合部１１２は、被装着部１１１Ａの第２端部１１０Ｂ側の縁１１１Ｂから第２端部１１０Ｂ側に凹むように設けられる。
【００２０】
係合部１１２は、被装着部１１１Ａに対して、背面から表面に向かう側に凹んで形成され、被装着部１１１Ａの第２端部１１０Ｂ側の縁１１１Ｂを跨いだ範囲に設けられている。
【００２１】
また、本体１１０の短辺方向における電池収納部１１１の両側には、一対のレール１１３が設けられている。なお、本体１１０の短辺方向は、長辺方向とは異なる方向であって、本体１１０における短辺部分に沿う方向であり、図３における左斜め下方向又は右斜め上方向のことをいう。
【００２２】
一対のレール１１３は、本体１１０の長辺方向に延びており、蓋１２０をスライド移動させる。この一対のレール１１３に沿ってスライドさせることにより、蓋１２０が本体１１０に対して着脱される。
【００２３】
また、一対のレール１１３及び本体１１０の第１端部１１０Ａには、図４に示す蓋１２０の裏面に設けられた爪１２０Ａが係合するロック部１１３Ａが設けられる。ロック部１１３Ａは、各レール１１３に２つずつ、第１端部１１０Ａに１つの計５つ設けられている。
【００２４】
蓋１２０は、本体１１０に対して着脱され、図４に示すように、第１部１２１と、第２部１２２とを有する。第１部１２１は、電池収納部１１１を覆う部分であり、被装着部１１１Ａに沿う形状となっている。また、上述したように、被装着部１１１Ａは、本体１１０のそれ以外の部分よりも蓋１２０の厚みの分だけ下げられているので、蓋１２０が本体１１０に装着されることで、本体１１０の蓋１２０の周囲の部分と、蓋１２０とが略面一となる（図１参照）。
【００２５】
第１部１２１の裏面に設けられる爪１２０Ａは、各ロック部１１３Ａに対応する位置にそれぞれ位置する。蓋１２０を一対のレール１１３に沿って第２端部１１０Ｂ側に移動させて、爪１２０Ａとロック部１１３Ａとが係合することにより、蓋１２０が本体１１０に装着される。また、蓋１２０をレール１１３に沿って第１端部１１０Ａ側に移動させようとすると、爪１２０Ａとロック部１１３Ａとの係合が解除されて、本体１１０から蓋１２０が取り外される。
【００２６】
第２部１２２は、挟持部材１３０が固定される部分であり、第１部１２１の図４における上側（一方側）の端部から延びている。第２部１２２は、第１部１２１よりも幅が狭く、図３における係合部１１２に係合可能に形成されている。
【００２７】
係合部１１２は、被装着部１１１Ａよりも第２端部１１０Ｂ側に位置するので、蓋１２０が本体１１０に装着される際に、電池収納部１１１よりも第２端部１１０Ｂ側（一方側）で係合部１１２と第２部１２２とが係合する。
【００２８】
図５に示すように、第２部１２２には、挟持部材１３０を固定するためのビス１５０がねじ込まれるナット１２２Ａがインサートされている。第２部１２２におけるナット１２２Ａがインサートされる部分１２２Ｂは、第２部１２２におけるその他の部分よりも凹んでいる。そのため、図６に示すように、第２部１２２におけるナット１２２Ａがインサートされる部分１２２Ｂは、第２部１２２における下面よりも下側に突出している。
【００２９】
また、第２部１２２は、挟持部材１３０が固定される部分であるため、ある程度の剛性を確保する必要がある。具体的には、第２部１２２の裏側には、第２部１２２の裏面を取り囲む側壁を設けて、第２部１２２の部分に厚みを持たせることにより、第２部１２２の剛性を確保している（図４参照）。
【００３０】
第２部１２２の表面から側壁を立てると、携帯端末１００の第２部１２２の部分の厚みが増大してしまうので、携帯端末１００の薄型化、小型化の観点から好ましくない。そこで、本実施の形態では、第２部１２２の裏面から側壁を立てることで、第２部１２２の剛性を確保しつつ、携帯端末１００全体の厚みを増大させることを抑制する。
【００３１】
そして、上述したように、係合部１１２は被装着部１１１Ａに対して凹んでいるので、蓋１２０を本体１１０に装着する際、第２部１２２が係合部１１２の部分に入り込むようになっている。そのため、蓋１２０を本体１１０に装着する際に、第２部１２２が係合部１１２の底面と衝突することなく、蓋１２０を本体１１０に容易に装着することができる。
【００３２】
また、第２部１２２が第１部１２１の裏面側に厚くなるように構成されるため、例えば蓋１２０を取り外すために、第１端部１１０Ａ側に蓋１２０をスライドさせた場合、係合部１１２の縁１１１Ｂと衝突するおそれがある。
【００３３】
しかし、本実施の形態では、係合部１１２が被装着部１１１Ａの第２端部１１０Ｂ側の縁１１１Ｂを跨いだ範囲に設けられる。つまり、係合部１１２には、第２部１２２が長辺方向に移動可能なスペースが形成されている。その結果、蓋１２０を長辺方向にスライド移動させた際に、第２部１２２を係合部１１２の縁１１１Ｂと衝突することなく、蓋１２０をスムーズに移動させることができる。
【００３４】
図７に示すように、挟持部材１３０は、本体１１０とは別体の被挟持部を挟持することで、被挟持部に本体１１０を取り付けるためのクリップである。被挟持部としては、例えば衣服のポケットの襟等、携帯端末１００を取付可能なものであれば良い。
【００３５】
挟持部材１３０は、クリップ部１３１と、被固定部１３２と、回動軸１３３と、線バネ１３４とを有する。
【００３６】
クリップ部１３１は、被挟持部を挟持する部分であり、クリップ本体部１３１Ａと、第１軸支部１３１Ｂとを有する。クリップ本体部１３１Ａは、矩形状に構成されており、ビス１５０が通過可能な孔１３１Ｃが形成されている。
【００３７】
第１軸支部１３１Ｂは、クリップ本体部１３１Ａにおける孔１３１Ｃの両脇に一対設けられており、回動軸１３３を軸支する。
【００３８】
被固定部１３２は、第２部１２２に固定される部分であり、クリップ本体部１３１Ａよりも小さな矩形状に構成されている。被固定部１３２には、ビス１５０がねじ込まれるビス孔１３２Ａが形成されている。被固定部１３２におけるビス孔１３２Ａの両脇には、第２軸支部１３２Ｂ（１つのみ図示）が設けられる。
【００３９】
第２軸支部１３２Ｂは、第１軸支部１３１Ｂとともに回動軸１３３を軸支する。これにより、図８に示すように、クリップ部１３１は、回動軸１３３を中心に被固定部１３２に対して回動することが可能となる。
【００４０】
また、図９に示すように、被固定部１３２がクリップ部１３１に取り付けられることにより、被固定部１３２におけるビス孔１３２Ａは、クリップ部１３１における孔１３１Ｃと重なる位置に位置する。これにより、ビス１５０を、クリップ部１３１側から孔１３１Ｃを通した上で、ビス孔１３２Ａを介してナット１２２Ａにねじ込むことにより、挟持部材１３０を蓋１２０に固定することができる。
【００４１】
また、被固定部１３２は、クリップ本体部１３１Ａの孔１３１Ｃに対応する位置、具体的には、クリップ本体部１３１Ａの真ん中よりも上側の位置に取り付けられる。そのため、クリップ部１３１は、本体１１０の第２部１２２に固定された際、第１部１２１と重なるように配置される（図１等参照）。
【００４２】
図７に示すように、線バネ１３４は、回動軸１３３に設けられており、クリップ部１３１における被固定部１３２から遠い側の端部１３１Ｄを被固定部１３２側に向けて付勢する。この線バネ１３４の付勢力により、クリップ部１３１を被固定部１３２に対して回動すると、クリップ部１３１が被固定部１３２側に戻ろうとする力が働く。これにより、クリップ部１３１における、蓋１２０、つまり、第１部１２１と重なる部分と、第１部１２１との間で被挟持部が挟持される。
【００４３】
ところで、挟持部材を携帯端末に取り付ける場合、例えば、図１０に示す携帯端末１のように、本体２における、蓋３からずれた位置に挟持部材４を取り付けた構成が考えられる。
【００４４】
具体的に、本体２には、電池２Ａを収納する電池収納部２Ｂが設けられる。電池収納部２Ｂの部分は、本体２に装着される蓋３により覆われる。そして、本体２の蓋３からずれた位置に挟持部材４が取り付けられる。
【００４５】
しかしながら、当該携帯端末１の電池２Ａを交換するために蓋３を本体２から取り外そうとすると、挟持部材４に起因して蓋３を本体２から取り外しにくくなるという問題が生じる。この理由としては、本体２のスペースの都合上、挟持部材４と蓋３とが重なる可能性が高くなり、挟持部材４が蓋３の取り外しの邪魔となるからである。
【００４６】
また、このような携帯端末１においては、本体２をさらに小型化することにより、衣服等への取付性をさらに向上させることが考えられる。しかし、本体２をさらに小型化すると、挟持部材４と蓋３とが重なりやすくなるので、上記問題は顕著になると考えられる。
【００４７】
挟持部材４と蓋３とが重なってしまうと、電池２Ａを交換する際に、挟持部材４を本体２から外した上で、蓋３を本体２から取り外す必要が生じるので、ユーザーにとって煩わしい作業が発生するおそれがあった。
【００４８】
しかし、本実施の形態では、図１および図３に示すように、挟持部材１３０が蓋１２０に固定されているので、蓋１２０及び挟持部材１３０を一体に移動させることができる。そのため、電池Ｄを交換したいような場合、挟持部材１３０を取り外す必要なく、蓋１２０を本体１１０から取り外して、電池Ｄを交換することができる。これにより、ユーザーにとって煩わしい作業を発生させることなく、容易に電池Ｄを交換することができ、ひいては蓋１２０を取り外す際の作業を簡素化することができる。
【００４９】
また、挟持部材１３０を掴むことにより、蓋１２０を取り外すことができるので、挟持部材１３０が固定されていない蓋１２０と比較して、蓋１２０を本体１１０から取り外しやすくすることができる。
【００５０】
ところで、本体１１０における電池Ｄが位置する部分は、電池Ｄの厚みに起因して、厚みが比較的大きくなる。そのため、蓋１２０における第１部１２１の部分に挟持部材１３０を取り付けた場合、挟持部材１３０の固定構造に起因して、さらに本体１１０の厚みが大きくなるおそれがある。
【００５１】
しかし、本実施の形態では、蓋１２０における第２部１２２に挟持部材１３０が固定されるので、本体１１０における電池Ｄが位置する部分の厚みを、それ以外の部分の厚みと同等にすることができる。そのため、例えば、被挟持部への取付性向上の観点から、本体１１０を薄型とした場合でも、挟持部材１３０に起因して本体１１０の厚みが大きくなることを抑制することができ、ひいては被挟持部への本体１１０の取付性を向上させることができる。
【００５２】
また、第１部１２１に挟持部材１３０が固定されていると、本体１１０の第１端部１１０Ａ側に近い部分で被挟持部を挟持部材１３０により挟持することとなる。このようにすると、本体１１０の略上半分が被挟持部よりも上に位置することとなるので、挟持部材１３０の部分で本体１１０が回動して、本体１１０の上半分が傾きやすくなり、ひいては本体１１０が安定した姿勢で挟持されにくくなる。
【００５３】
しかし、本実施の形態では、挟持部材１３０が、第１部１２１の第２端部１１０Ｂ側の端部から延びる第２部１２２に固定されるので、被挟持部から本体１１０がぶら下がるような形で被挟持部に本体１１０を装着することができる。そのため、本体１１０を安定した姿勢で被挟持部に取り付けることができる。
【００５４】
また、第２部１２２が係合部１１２に係合するので、蓋１２０を本体１１０にしっかりと装着させることができ、ひいては蓋１２０の本体１１０への装着性を向上させることができる。
【００５５】
なお、上記実施の形態では、挟持部材１３０が蓋１２０に固定されていたが、本発明はこれに限定されず、蓋１２０と挟持部材１３０が一体に構成されていても良い。
【００５６】
また、上記実施の形態では、第２部１２２が本体１１０に係合する構成であったが、本発明はこれに限定されず、第２部１２２が本体１１０に係合しない構成であっても良い。
【００５７】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００５８】
本開示の携帯端末は、蓋を本体から取り外す際の作業を簡素化することが可能な携帯端末として有用である。
【符号の説明】
【００５９】
１００  携帯端末
１１０  本体
１１０Ａ  第１端部
１１０Ｂ  第２端部
１１１  電池収納部
１１１Ａ  被装着部
１１２  係合部
１１３  レール
１１３Ａ  ロック部
１２０  蓋
１２０Ａ  爪
１２１  第１部
１２２  第２部
１２２Ａ  ナット
１３０  挟持部材
１３１  クリップ部
１３１Ａ  クリップ本体部
１３１Ｂ  第１軸支部
１３１Ｃ  孔
１３２  被固定部
１３２Ａ  ビス孔
１３２Ｂ  第２軸支部
１３３  回動軸
１３４  線バネ
１４０  操作部
１４１  操作ボタン
１５０  ビス
Ｄ  電池
【図１】
2019036827.tif 000003
【図２】
2019036827.tif 000004
【図３】
2019036827.tif 000005
【図４】
2019036827.tif 000006
【図５】
2019036827.tif 000007
【図６】
2019036827.tif 000008
【図７】
2019036827.tif 000009
【図８】
2019036827.tif 000010
【図９】
2019036827.tif 000011
【図１０】
2019036827.tif 000012